(57)【要約】【課題】ロールのセット性を損なうことなく、メディアをオモテ面から押さえることなく、ロールメディアのプリカットの長さは最小限にし、プリカット後の排出を確実に行い、且つ、メディアの浮きを抑えることを両立するための画像記録装置を提供すること。【解決手段】画像を記録するための記録ヘッドと、前記記録ヘッドに対向して、被記録媒体との隙間を保持するためのプラテンと、前記プラテンの搬送の下流側に、記録後の被記録媒体を外部に案内するための排紙部材と、前記プラテンと前記排紙部材の間に被記録媒体を切断する切断装置と、を設け、前記排紙部材は、前記切断装置から搬送方向に対して下流側の所定の範囲で、被記録媒体の案内面の高さを切換えるモードを有する。【選択図】図１
2006176243.tif 000002
【特許請求の範囲】
【請求項１】
画像を記録するための記録ヘッドと、前記記録ヘッドに対向して、被記録媒体との隙間を保持するためのプラテンと、前記プラテンの搬送の下流側に、記録後の被記録媒体を外部に案内するための排紙部材と、前記プラテンと前記排紙部材の間に被記録媒体を切断する切断装置と、を設け、前記排紙部材は、前記切断装置から搬送方向に対して下流側の所定の範囲で、被記録媒体の案内面の高さを切換えるモードを有することを特徴とする画像記録装置。
【請求項２】
前記排紙部材は、被記録媒体の裏面からエアーを吸引するモードと、被記録媒体の裏面にエアーを噴出するモードを有するファンにより被記録媒体の高さを切換えることを特徴とする請求項１記載の画像記録装置。
【請求項３】
被記録媒体の種類を入力する手段と、画像記録装置が動作する湿度雰囲気を検知する手段と、を有し、前記被記録媒体の種類と、前記湿度雰囲気に応じて、前記排紙部材が、被記録媒体の高さを切換えるモードを有することを特徴とする請求項１又は２記載の画像記録装置。
【発明の詳細な説明】
【技術分野】
【０００１】
本発明は、ロール紙をシート状に切断する切断装置を具備したプリンタ、複写機、ファクシミリ等の画像記録装置に関する。
【背景技術】
【０００２】
図７及び図８に従来の画像記録装置であるシリアルタイプのインクジェットプリンタの断面を示す。尚、図７は印字中の状態、図８はメディアとしてのロールをセットする状態を示す。
【０００３】
排紙カバー１０２は、セットされたロール１０３をゴミ、紙粉等から保護すると共に、印字後のメディアを本体外部に排紙案内する。図８に示すように、ロール１０３のセットは、排紙カバー１０２を矢印Ｐ方向に開けて、カセット１０４を装置本体から引き出して、ロール１０３を矢印Ｒ方向に載せる。カセット１０４を矢印Ｔ方向に移動して、本体にセットし、排紙カバー１０２を矢印Ｑ方向に閉じる。このような、引き出し式のカセットと、排紙カバーは、保護カバーと案内ガイドの機能を有し、ロールのセット性に優れた方式である。
【０００４】
その後、給紙動作として、ロール１０３は、メディア１０１として、ユーターンガイド１０５、送りローラ１０７、プラテン２、カッター４を経て長さＬだけ送り、カッター４によってプリカットを行う。カッター４は、メディアの幅方向（送り方向と直交する方向）に移動するレシプロカッターであり、切断動作以外は、メディアの通紙域外に待機している。
【０００５】
プリカットは、ロール１０３がセットされる前のメディア先端が、波打っていたりして不揃いであることを防止し、その後に行う印字物としてのシートを整形して品位を保証するため、ロールをセットした後の印字動作に先立って行う。プリカットされたメディアを、短冊用紙１０１ｂと呼ぶ。メディア１０１は、プリカットによって、短冊用紙１０１ｂと、印字メディア１０１ｄに切断される。この状態では、短冊用紙１０１ｂは、排紙カバー１０２上に残り、メディア１０１ｄは、プラテン２に残る。
【０００６】
その後、メディア１０１ｄを送り、短冊用紙１０１ｂを押し出して、排紙カバー１０２から下方へと落下させる。短冊用紙１０１ｂの自重を利用し易いように、排紙カバー１０２は、送り方向に対して、下方に傾斜している（図７では、左斜め下方向）。次に、メディア１０１ｄを送りローラ１０７まで戻し、記録装置に画像データが入力されるまで待機する。
【０００７】
画像データが入力されると、記録ヘッド１の直下で、プラテン２までメディア１０１ｄを送り、その上部を記録ヘッド１が一対のレール１ａの軸線に沿って往復動作を行う。記録ヘッド１の走査（往復動作）により１走査分の画像を記録し、送りローラ１０７でメディア１０１ｄを間欠的に所定のピッチで送りを行い、その後に又記録ヘッド１を走査させ、これを繰り返してページ全体に画像を記録する。
【０００８】
メディア１０１ｄの記録済み部は、外装カバー１０６から装置外部の排紙カバー１０２に案内される。カッター４により、１ページ分が切り離され、給紙動作と同様に、プラテン２側のメディアの送り動作によって押し出され、本体下方のバケット（不図示）に収納される。メディアは、再度送りローラ１０７まで戻され、スタンバイ状態となる。印字の２ページ以降は、通常動作ではプリカットは行わない。プリカットは、ジャムが発生した場合やロールを再セットした場合に行う。
【０００９】
プラテン２は、記録ヘッド１とメディア１０１ｄの隙間を一定に保つための平面で、画質を向上させるため、メディア１０１ｄをプラテン２から浮かないように、又、記録ヘッド１とメディアが擦れないようにしている。通常、プラテン２に接続した吸引ファン３により、エアーを吸い込みプラテン２にメディアを密着させる手段が採用される。更に、プラテン２の下流部である排紙カバー１０２を搬送方向に漸次低とする（図７では、左斜め下方向）ことで、浮きを抑えている。
【００１０】
上記一連の動作において、切断後のメディアが排紙部に吸着することを防止する手段及びメディアをプラテンに密着させる手段ついて、以下の代表的公知例がある。
【００１１】
切断後のメディアが排紙部に吸着することを防止する手段について、特許文献１には、プラテン吸引ファンのエアーを排紙部に導き、案内部からの噴出しに利用し、案内部とメディアの吸着を防止する旨の記載がある。
【００１２】
特許文献２には、排紙部に円筒形の回転部材を配してメディアを移動させ、メディアが案内部材に吸着することを防止する旨の記載がある。
【００１３】
メディアをプラテンに密着させる手段について、特許文献３には、メディアの幅に応じた効果的なプラテン吸引の制御方法についてての記載がある。
【００１４】
特許文献４には、効果的なプラテン吸引の一例を示す記載がある。
【００１５】
【特許文献１】特開２０００−２４６９８３号公報
【特許文献２】特開２００１−１２２４９２号公報
【特許文献３】特開平６−０１５９０２号公報
【特許文献４】特開２０００−１３５８２８号公報
【発明の開示】
【発明が解決しようとする課題】
【００１６】
近年、例えばインクジェットプリンタに使用されるメディアは、フィルムや紙、厚紙、布、不織布、粘着紙、ラベル紙等、又、これらにコーティングやラミネートを施したもの、更にこれらの中で厚さが異なるものまで多種多様になってきている。又、メディアのサイズも１ｍ２
（Ａ０サイズ）、１．５ｍ２ （Ｂ０サイズ）以上という大判サイズが普及し、プリンタサイズが大型化することに伴い、幅広のロール状のメディアをシート状に切断して大判印字物として利用されている。
【００１７】
これらの多様なメディアに対して、プリカット後のメディアの排出とメディアの浮きに関し、図９〜図１３を参照して課題を述べる。
【００１８】
１．プリカット後のメディアの排出：
短冊用紙１０１ｂは、印字に先立って行われる予備動作としてのプリカットによって派生するものであり、本来の画像記録用のメディアを無駄にしないためには、できるだけ少量であることが望ましい。  
ところが、押し出して排出できる短冊用紙１０１ｂの長さＬは、メディアの種類と、装置本体の動作する相対湿度の雰囲気によって、様々に変わる。一方、気圧や温度による排出具合の変化は、軽微であり、相対湿度のみで雰囲気を代表させて構わない。
【００１９】
一例を図１１に示す。縦軸が排出可能な長さＬ、横軸が相対湿度である。相対湿度は、画像記録装置が使用され得る殆どの範囲１０％〜９０％についてのデータである。メディアの種類紙Ａ、紙Ｂ、フィルムＣ、フィルムＤについてプロットと曲線を各々描いている。例えば、紙Ａについては、切断後、押し出しによって排出できる長さＬは、相対湿度５０％では、５０ｍｍ以上必要ということを表している。つまり、各メディアの曲線において、上部側の範囲が排出可能な領域ということになる。
【００２０】
このような課題に対して、殆どのメディアに対して、相対湿度の全範囲で充分大きな一律の長さＬを設定し、プリカットすれば、排出は可能になるが、その長さは１５０〜２００ｍｍを超える長さになり、メディアの無駄が生じる。
【００２１】
又、排出ができないで、短冊用紙が通紙面上に残っていると、その後の動作で記録ヘッドやカッターとのジャムを招来する等、不具合の原因ともなる。
ところで、短冊用紙が排出できない理由は幾つかある。
（１）図９に示すように、メディア浮きを抑えるために、排紙カバーがカッター位置から漸次低位となっている構成下で、短冊用紙１０１ｂが短いと、押し出す際のメディア１０１ｄが短冊用紙１０１ｂに触れる事無く、その上をスリ抜けてしまうことによるもの。
（２）短冊用紙１０１ｂのプリカットされた端部１０１ｃが、短冊用紙１０１ｂの上に凸のカールにより、排紙カバーの端部に引っ掛ることによるもの（図９）。
（３）図１０に示すように、短冊用紙１０１ｂがある程度の長さＭであり、押し出しが位置Ｎで接触する場合において、排紙カバー１０２と短冊用紙１０１ｂの裏面との静電気で吸着してしまい、位置Ｎで接触しても、メディア１０１ｄの端部の線接触であるため、静電気の吸着力に負けて、位置Ｎから下流側に滑って押し出せなくなるからである。
【００２２】
従来例の構成である、特開２０００−２４６９８３号公報では、プラテン吸引とメディアの吸着を同時に行っているため、後述するメディアの浮きに対しては弊害が生じる。
【００２３】
又、特開２００１−１２２４９２号公報では、静電気のみによるメディアの吸着対策には有効であるが、カールの強いメディアに対しては回転体の外径を大きくしないと、空回りして結局排出できない。又、後述するメディアの浮きに対しては、何らの対策にならない。
【００２４】
２．メディアの浮き：
従来から、メディアをプラテンに密着させ、画質の向上を図ることが課題とされている。メディアの浮き量の一例を図１２に示す。●のプロットは、メディアをプラテンから排紙カバーへ搬送していったときの、或るメディア先端位置におけるプラテン上でのメディアの浮き量Ｋを表したものである。レベルＫ１以下が印字品位を保証する閾値である。メディア先端がプラテンに上にあるときは、浮き量は小さく、カッター４と通過した排紙カバー１０２上で最大値Ｅとなる。レベルＫ１を超える範囲は領域Ｆである。その下流においては再びレベルＫ１以下になる。
【００２５】
図１３はメディアをプラテンから排紙カバーまで搬送したときの、プラテン上でのメディア浮き量の最大値Ｅを縦軸に、相対湿度を横軸にして、メディアの種類紙Ａ、紙Ｂ、フィルムＣ、フィルムＤについてプロットと曲線を各々描いている。相対湿度を雰囲気の代表値としていることは、前述と同様である。図中、メディアの浮きの許容を、レベルＫ１を点線で示している。例えば、フィルムＣについては、相対湿度４５％以下で、レベルＫ１を超えることを表している。フィルムＤについては、相対湿度の全範囲で、レベルＫ１を下回っているため、メディアの浮きの問題は発生しない。
【００２６】
メディアの浮きは、元々のロールの巻きクセも加わって、低湿度環境下で深刻になる。このカールにより、メディアの先端が排紙カバー１０２と線接触して、結果的にプラテン２上で浮きが生じる。排紙カバー１０２を漸次低位の形状にしても、上に凸のカールによって、メディア先端がプラテン２を通過した辺りからの浮きを抑えることが、課題となる。
【００２７】
このような課題に対しては、メディアの種類が多様化するため、単一の条件で装置を構成することは難しい。例えば、領域Ｆにおいて、排紙カバー１０２の該当部位を更に低位の形状にして、浮きを抑えることが考えられるが、前述した図９に示すプリカット後の短冊用紙のすり抜け課題と背反し、単純にはいかない。又、メディアの浮きを抑えるために、メディアのオモテ面から拍車や、ローラで押さえる構成もあるが、押さえ力の程度もメディアの種類や、雰囲気によって異なり、更に印字後の画像擦れ等の課題があるため、採用するには難がある。
【００２８】
多様なメディアに対しては、従来例にある特開平６−０１５９０２号公報や、特開２０００−１３５８２８号公報によるも、浮きを抑えるには不十分である。
【００２９】
本発明の目的は、ロールのセット性を損なうことなく、メディアをオモテ面から押さえることなく、ロールメディアのプリカットの長さは最小限にし、プリカット後の排出を確実に行い、且つ、メディアの浮きを抑えることを両立するための画像記録装置を提供することにある。  
【課題を解決するための手段】
【００３０】
上記目的を達成するため、本発明は、画像を記録するための記録ヘッドと、前記記録ヘッドに対向して、被記録媒体との隙間を保持するためのプラテンと、前記プラテンの搬送の下流側に、記録後の被記録媒体を外部に案内するための排紙部材と、前記プラテンと前記排紙部材の間に被記録媒体を切断する切断装置と、を設け、前記排紙部材は、前記切断装置から搬送方向に対して下流側の所定の範囲で、被記録媒体の案内面の高さを切換えるモードを有することを特徴とする。
【発明の効果】
【００３１】
本発明によれば、排紙部材の構成により、ロールのセット性を損なうことなく、又、メディアをオモテ面から押さえることなしに、以下の効果が得られる。
（１）短い長さの短冊用紙を排出できる。
（２）メディアの浮きを抑える。
（３）メディアの種類によらず、短い長さの短冊用紙を排出し、且つ、メディアの浮きを抑える。
【発明を実施するための最良の形態】
【００３２】
以下に本発明の実施の形態を添付図面に基づいて説明する。
【００３３】
＜実施の形態１＞
図１は本発明をインクジェットプリンタに適用した場合の断面図である。
【００３４】
図１において、１は記録手段としての記録ヘッド、２は記録ヘッド１とメディアのギャップを保証するためのプラテン、３はプラテン２に接続された吸引ファンで、メディアをプラテン２に密着させる手段である。
【００３５】
又、４はメディアを切断するためのカッター、５はカッター下流側の案内としての排紙ガイドであり、通常状態のポジションも表している。５ａは排紙ガイド５が下降したポジションを示し、５ｂは排紙ガイド５が上昇したポジションを示し、５ｃは排紙ガイド５の端部であり、カッター４との境にある。
【００３６】
６は排紙ガイド５を上下動するためのカム、６ａはカム６の支点、７は排紙ガイド５の揺動の支点、８は排紙ガイド５をカム６側に付勢するスプリング、９は排紙ガイド５の下流側に設けた排紙カバー、１０１ｂは、プリカットされた短冊用紙、矢印Ａは排紙ガイド５が下から上に移動した際のメディアの移動方向である。
【００３７】
図１を参照して、排紙部の構成、プリカット動作、メディア浮き制御について説明する。
【００３８】
給紙等の一連の動作は、従来例で述べた通りであり、排紙部の構成のみ説明する。
【００３９】
排紙ガイド５は、通常、図１に実線で示す高さ位置にあり、切断位置と、下流の排紙カバー９を結ぶ線上に配置されている。排紙ガイド５の端部５ｃは、切断後のメディアを全幅の範囲で載置するため、幅方向に連続しており、又、切断後の載置のため、カッター４のカットラインまで延びている。切断直後にカールしたメディアであっても、排紙ガイド５で受けることができる。排紙ガイド５は、その下方に配置されたカム６の動作とスプリング８により、支点７を中心に揺動する。カム６は、不図示のモータにより連結され、駆動される。
【００４０】
プリカット後の動作は、ポジション５ｂに移動し、排紙ガイド５に載置された短冊用紙１０１ｂを下から上に突き上げ、矢印Ａ方向に移動させる。その後、メディアの押し出し（従来例で記載）を行うのため、再び元のポジション５に戻る。排紙ガイド５の動作のみで、短冊用紙１０１ｂが、排紙カバー９から下に落ち切る場合には、メディアの押し出しは不要である。
【００４１】
１ページ分の印字が、長さ方向に短く、排紙ガイド９上にメディアの長さの半分以上が残るような場合、切断後のメディアは、その自重で下に落ちないので、メディアの押し出しは必要である。
【００４２】
メディアの浮きに対しては、排紙ガイド５は、ポジション５ａに移動し、メディアの先端が下に逃げるようにすることで、プラテン２上での浮きを抑える。
【００４３】
このように、プリカットのメディア残り防止としては、排紙ガイドを上昇させ、メディアの浮き防止としては、排紙ガイドを下降させることにより、排紙ガイドの高さを切換えるので、給紙や印字動作における不具合が同時に解消できる。
【００４４】
＜実施の形態２＞
図２は本発明をインクジェットプリンタに適用した他の実施例の断面図である。
【００４５】
新たな符号は、以下の通りである。
【００４６】
１１は排紙カバー９の裏面に設けたファン、矢印Ｃは吸引方向である。
【００４７】
図２を参照して、別形態の排紙部について説明する。新たな符号以外は、実施の形態１と同じであるため、これについての説明は割愛する。
【００４８】
排紙カバー９の裏面に、プラテン２の吸引ファン３とは異なるファン１１を設けている。排紙カバー９には、多数の小孔（不図示）が形成されファン１１接続している。このファン１１は、吸引（矢印Ｃ方向）と、噴出し（矢印Ｃの逆方向）を行う。メディアの浮きに関しては、最大浮き量が発生する領域から外れたところに配置しているため、関係しない。
【００４９】
プリカットにおいて、図１の矢印Ａ方向への移動後、ファン１１からの噴出しを行うことによって、短冊用紙１０１ｂを排紙カバー９から脱落させ、下方に排出することができる。又、１ページ分の印字終了後、カッター４により切断を行うが、切断中において排紙カバー９上で、メディアを吸引し、保持する機能があり、これにより切断中にメディアが動くことを防止でき、切断を安定させることができる。切断終了後には吸引を停止し、メディアを落下させて排出する。
【００５０】
１ページ分の印字が、長さ方向に短く、排紙ガイド９上にメディアの長さの半分以上が残るような場合は、ファン１１の噴出しによってメディアを落下させる。
【００５１】
このファン１１により、プリカットや、印字後のシートの切断において、プラテン側のメディアによる押し出動作を不要にできる。
【００５２】
＜実施の形態３＞
図３は本発明をインクジェットプリンターに適用した他の実施例の断面図、図４は図３の斜視図である。
【００５３】
新たな符号は、以下の通りである。
【００５４】
４ｂはカットライン、１０は排紙ガイド５と同じポジション、サイズ、配置であるが、上下動しない固定の排紙ガイド。１２は排紙ガイド５の裏面に設けたファン、矢印Ｂは吸引方向、矢印Ｄは噴出し方向である。
【００５５】
図３及び図４を参照して、別形態の排紙部について説明する。新たな符号以外は、実施の形態１，２と同じであるため、それらについての説明は割愛する。
【００５６】
排紙ガイド１０の裏面に、吸引ファン３、ファン１１とは異なるファン１２を更に設けている。排紙ガイド１０には、多数の小孔（不図示）が形成されファン１２が接続している。このファン１２は、吸引（矢印Ｂ方向）と、噴出し（矢印Ｄ方向）を行う。排紙ガイド１０は、排紙ガイド５と異なり、固定である。
【００５７】
プリカット後において、ファン１２からの噴出しを行うことによって、短冊用紙１０１ｂを排紙ガイド１０から、排紙カバー９側に移動させる。その後、ファン１１により、噴出しを行い、排紙カバー９から脱落させ、下方に排出する。
【００５８】
メディアの浮きに関しては、ファン１２で吸引を行い、メディアを排紙ガイド１０に密着させることにより、プラテン２上での浮きを防止することができる。
【００５９】
排紙カバー９、排紙ガイド１０の全幅に亘って小孔が設けられ、ファン１１，１２は、吸引（又は噴出し）を広域面積で行い、静圧が小出力のファンであっても、吸引力（又は噴出し力）を増加させている。
【００６０】
ファン１１の機能は前述同様である。即ち、１ページ分の印字終了後、カッター４により切断を行うが、切断中に排紙カバー９上で、メディアを吸引し、保持する機能がある。切断終了後に吸引を停止し、メディアを落下させる。又、１ページ分の印字が、長さ方向に短く、排紙ガイド９上にメディアの長さの半分以上が残るような場合は、ファン１１の噴出しによってメディアを落下させる。この動作においては、ファン１２を同期させることで、更に効果を増しても良い。
【００６１】
このように、プラテンの吸引ファンとは別に、更に下流部にいおいて設けたファンにより、プリカットやメディア浮きの課題を解決し、給紙や印字動作における不具合が同時に解消することができる。
【００６２】
＜実施の形態４＞
図５はプリカット対策の動作フロー図、図６はメディアの浮き対策の動作フロー図であり、これらの図はメディアの種類と相対湿度を基にして排紙部材の動作を制御するフローを示したものである。
【００６３】
図５から順次説明する。尚、メディアの特性は図１１を参照する。排紙部材は、図１の構成を参照する。図１１において、長さＬ１は、本画像記録装置のプリカットの長さであり、可能な限り短くした値である。今、Ｌ１＝３０ｍｍとする。メディアは、紙Ａ、フィルムＣ、フィルムＤの３種類について判別フローを示す。
【００６４】
動作のスタート（Ｓ１）前に、ユーザーは、セットしたメディアの種類を画像記録装置に入力する。メディアの種類は、画像記録装置と接続されたドライバーをインストールしたパソコンに入力しても良く、その場合、パソコンから画像記録装置にメディアの種類をデータとして転送する。
【００６５】
メディアの種類を判別する（Ｓ２）。メディアが紙Ａの場合、図１１から相対湿度の全範囲で長さＬ１を超える特性である。従って、相対湿度の検知レベルの如何に関わらず、短冊の長さがＬ１になることはないことが分かる。相対湿度の検知レベルを読み行かずに、給紙（Ｓ３）、即ちメディアがプラテン、カッター、排紙ガイドまで搬送され、カットラインから長さＬ１になるまでメディアの先端が送られる。排紙ガイドは、通常位置のポジション５にある（図１）。
【００６６】
次に、カッターによりプリカッットされ（Ｓ４）、排紙ガイドが、上昇しポジション５ｂに移動する（Ｓ５）。これにより、短冊用紙は、下流の排紙カバーに滑り落ちる。その後、排紙ガイドは、元のポジション５に戻る。
【００６７】
次に、プラテン側に残されたメディアが排紙ガイドを通り、排紙カバーの短冊用紙まで送られ、短冊用紙を押し出す（Ｓ７）。これにより、短冊用紙排紙カバーから落下し、本体下のバケットに収まる。
【００６８】
押し出したメディアは、排紙ガイド、カッター、プラテンを通り、送りローラまで戻される（Ｓ８）。この状態でスタンバイとなり、記録ヘッドの往復動作による印字開始（Ｓ９）に備える。
【００６９】
上記動作においては、図１の排紙ガイド５の代わりに、図３のファン１２を動作させることでも良い。
【００７０】
ステップＳ２において、メディアがフィルムＤである場合、図１１から相対湿度の全範囲で長さＬ１を下回る特性である。従って、相対湿度の検知レベルの如何に関わらず、短冊の長さはＬ１で排出できることが分かる。この場合、相対湿度の検知レベルを読みに行かずに、給紙（Ｓ１１）、プリカット（Ｓ１２）の後、排紙ガイドの上下動作は不要であり、直ちに押し出し動作（Ｓ７）を行い、それ以降、紙Ａの場合と同じ処理を行う。
【００７１】
ステップＳ２で、メディアがフィルムＣである場合、相対湿度によって排出の長さが異なるため、検知された相対湿度を読みに行く（Ｓ１０）。図１１から、フィルムＣに対しては、長さＬ１となる相対湿度は４０％であることが分かる。検出誤差によるマージンを含め、相対湿度の閾値を５０％とする。これにより、５０％以上であれば、短冊長さがＬ１に対し、排紙ガイドの上昇動作が必要であるため、紙Ａと  同じフローで処理される。５０％未満であれば、短冊長さがＬ１に対し、排紙ガイドの上昇動作は不要であり、フィルムＤと同じフローで処理される。
【００７２】
尚、ステップＳ２において、図５には不図示であるが、図１１から分かるように、メディアが紙Ｂである場合は、相対湿度の閾値を４０％とし、４０％以下なら、排紙ガイドはそのままのポジション５で処理する。４０％を超える場合は、排紙ガイドの上昇動作（復元動作含む）を行う。
【００７３】
以上のように、メディアの種類と相対湿度の両方をパラメータとし、或るメディアの短冊の長さが、排紙ガイドのポジションとして排出可能かどうかを判別することで、不要な動作を省略できる。
【００７４】
短冊用紙の長さを小さくでき、メディアを無駄にカットすることを防止できる。
【００７５】
メディアの種類や、雰囲気によらず、短冊用紙を確実に排紙できるので、ジャム等の不具合の解消になる。
【００７６】
次に、図６について説明する。尚、メディアの特性は図１３を参照する。排紙部材は、図１の構成を参照する。図１３において、浮き量Ｋ１は、本画像記録装置で許容できるメディアの最大浮き量であり、値としては１ｍｍとする。メディアは、紙Ｂ、フィルムＣ、フィルムＤの３種類について判別フローを示す。
【００７７】
メディアの種類は、予め、ユーザーが入力している。
【００７８】
図６のフローは、図５のプリカット動作が終了した後に、印字動作（Ｓ２１）に移る場合と、プリカットは行わずに２ページ目以降の印字する場合のフローである。
【００７９】
排紙ガイドは、デフォルトで、ポジション５にある。
【００８０】
メディアの種類を判別し（Ｓ２２）し、メディアの種類がフィルムＤの場合、図１３から相対湿度の全範囲で浮き量Ｋ１を下回る特性である。従って、相対湿度の検知レベルの如何に関わらず、浮きは問題とならないことが分かる。この場合、相対湿度の検知レベルを読みに行かずに、直ちに記録ヘッドの走査（Ｓ２５）を開始して画像を記録する。
【００８１】
ステップＳ２２において、メディアが紙Ｂである場合、浮き量Ｋ１となる相対湿度は２５％となることが分かる。検出誤差によるマージンを含め、相対湿度の閾値を３０％とする（Ｓ２３）。検知された相対湿度を読みに行き（Ｓ２６）、これにより、相対湿度が３０％以上であれば、フィルムＤと同じフローで処理される。３０％未満であれば、メディアの浮きに対して、排紙ガイドの下降動作が必要であるため排紙ガイドはポジション５ａとなる（Ｓ２４）。メディアの浮きを抑える準備ができたると、それ以降は、記録ヘッドの走査を開始する（Ｓ２５）。
【００８２】
ステップＳ２２において、メディアがフィルムＣである場合、浮き量Ｋ１となる相対湿度は４５％となることが分かる。検出誤差によるマージンを含め、相対湿度の閾値を５０％とする。検知された相対湿度を読みに行き（Ｓ２６）、これにより、相対湿度が５０％以上であれば、フィルムＤと同じフローで処理される。５０％未満であれば、排紙ガイドはポジション５ａに位置し（Ｓ２４）、次いで記録ヘッドの走査を開始する（Ｓ２５）。
【００８３】
上記動作においては、図１の排紙ガイド５の代わりに、図３のファン１２を動作させることでも良い。
【００８４】
尚、ステップＳ２２において、図６には不図示であるが、図１３から分かるように、メディアが紙Ａである場合は、フィルムＤと同様に相対湿度の全範囲で浮き量Ｋ１を下回る特性である。処理フローは、フィルムＤと同じである。
【００８５】
以上のように、メディアの種類と相対湿度の両方をパラメータとし、或るメディアの浮き量を閾値以下に抑えるために、排紙ガイドのポジションの切換えを判別することで、不要な動作を省略できる。
【００８６】
メディアの種類や、雰囲気によらず、メディアの浮きを抑えることができるので、印字品位を向上でき、ヘッド擦れやジャム等の不具合の解消にもなる。
【図面の簡単な説明】
【００８７】
【図１】本発明をインクジェットプリンタに適用した場合の断面図である。
【図２】本発明をインクジェットプリンタに適用した実施の形態２の断面図である。
【図３】本発明をインクジェットプリンタに適用した実施の形態３の断面図である。
【図４】図３の斜視図である。
【図５】プリカット対策の動作フロー図である。
【図６】メディアの浮き対策の動作フロー図である。
【図７】従来のインクジェットプリンタの断面図である。
【図８】従来のインクジェットプリンタのロールセット状態を示す断面図である。
【図９】従来のインクジェットプリンタの排紙部断面図である。
【図１０】従来のインクジェットプリンタの排紙部断面図である。
【図１１】従来のインクジェットプリンタで排出できるメディアの長さと相対湿度との関係をメディア毎に表した図である。
【図１２】従来のインクジェットプリンタの排紙部断面図とメディアの先端位置におけるプラテン上の浮き量を示す図である。
【図１３】従来のインクジェットプリンタでメディアを搬送した際のプラテン上の最大浮き量と相対湿度との関係をメディア毎に表した図である。
【符号の説明】
【００８８】
１    記録ヘッド
１ａ    レール
２    プラテン
３    吸引ファン
４    カッター
４ａ    カットライン
５    排紙ガイドの通常状態のポジション
５ａ    排紙ガイドが下降したポジション
５ｂ    排紙ガイドが上昇したポジション
５ｃ    排紙ガイドの端部
６    カム
６ａ    支点
７    支点
８    スプリング
９    排紙カバー
１０    排紙ガイド
１１    ファン
１２    ファン
１０１  メディア
１０１ｂ  プリカットされた短冊用紙
１０１ｃ  カール部
１０１ｄ  プラテン側のメディア
１０２  排紙カバー
１０３  ロール
１０４  カセット
１０５  ユーターンガイド
１０６  外装カバー
１０７  送りローラ
Ｅ    メディアの最大浮き量
Ｆ    領域
Ｋ    浮き量
Ｋ１    許容浮き量
Ｌ    短冊長さ
Ｌ１    所定短冊長さ
Ｍ    短冊長さ
Ｎ    位置
Ａ    移動方向
Ｂ    吸引方向
Ｃ    吸引方向
Ｄ    噴出し方向
Ｐ    開動方向
Ｑ    閉動方向
Ｒ    ロールセット方向
Ｔ    移動方向
【図１】
2006176243.tif 000003
【図２】
2006176243.tif 000004
【図３】
2006176243.tif 000005
【図４】
2006176243.tif 000006
【図５】
2006176243.tif 000007
【図６】
2006176243.tif 000008
【図７】
2006176243.tif 000009
【図８】
2006176243.tif 000010
【図９】
2006176243.tif 000011
【図１０】
2006176243.tif 000012
【図１１】
2006176243.tif 000013
【図１２】
2006176243.tif 000014
【図１３】
2006176243.tif 000015